(57)【要約】【課題】  ワイヤーロープを用いて物品を吊り下げる場合において、物品を吊り下げた後、その高さの位置を容易に調整できるハンガーを提供することを目的とする。【解決手段】  ロックケースにワイヤーロープを挿通させ、ワイヤーグリップ機構を有し、フックを備えたハンガーにおいて、フックに物品を吊り下げた後、ワイヤーロープに対するロックケースの高さ方向の位置を調整可能にしたハンガーとした。【選択図】  図３
2008036000.tif 000002
【特許請求の範囲】
【請求項１】
ロックケースにワイヤーロープを挿通させ、ワイヤーグリップ機構を有し、フックを備えたハンガーにおいて、フックに物品を吊り下げた後ワイヤーロープに対するロックケースの高さ方向の位置を調整可能としたハンガー。
【請求項２】
ロックケースにワイヤーロープを挿通させ、ワイヤーグリップ機構を有し、フックを備えたハンガーにおいて、フックに物品を吊り下げた後ワイヤーロープに対するロックケースの高さ方向の位置を調整可能とし、調整高さ量を表示するスケールを備えたハンガー。
【請求項３】
ロックケース内に収容される、ワイヤーロープを挿通させるワイヤー保持部材と、ワイヤー保持部材の下部に外嵌まりしワイヤー保持部材とでワイヤーグリップ機構を有する筒状体のワイヤーグリップと、ワイヤーグリップに上部を螺着する調整軸部材と、ロックケースの下部に刻設した窓孔内に位置して前記調整軸部材と螺合する調整ダイヤルと、ワイヤー保持部材下端と調整軸部材上端との間に縮設したコイルスプリングとよりなり、調整ダイヤルを回動させることによりワイヤロープに対するロックケースの高さ位置を調整できるようにしたハンガー。
【請求項４】
ロックケース内に収容される、ワイヤーロープを挿通させるワイヤー保持部材と、ワイヤー保持部材の下部に外嵌まりしワイヤー保持部材とでワイヤーグリップ機構を有する筒状体のワイヤーグリップと、ワイヤーグリップに上部を螺着する調整軸部材と、ロックケースの下部に刻設した窓孔内に位置して前記調整軸部材と螺合する調整ダイヤルと、ワイヤー保持部材下端と調整軸部材上端との間に縮設したコイルスプリングとよりなり、調整ダイヤルを回動させることによりワイヤロープに対するロックケースの高さ位置を調整し、ロックケースの中央部側壁にスケール孔を刻設し、スケール孔の縁面に目盛りを付し、調整軸部材上部から突設し調整軸部材の中間部を貫通したストッパーピンを前記スケール孔に挿入させてロックケースの高さ位置の調整量が分かるようにしたハンガー。
【発明の詳細な説明】
【技術分野】
【０００１】
本発明は、ワイヤーロープを用いて物品を吊り下げるハンガーであって、特に、ハンガーの高さ方向の位置を調整可能にしたものである。
【０００２】
吊り下げる物品は限定しないが、美術館や博物館等で絵画等の展示用に用いると、高さ調整が容易にでき有用である。
【背景技術】
【０００３】
図１、図２に美術館や博物館での絵画等の展示の概要を示す。図１はその正面図、図２は左側面図である。
【０００４】
絵画等の展示物１が、壁面２の上方で天井に平行に配置したレール３にハンガー４により吊り下げられている。
【０００５】
美術館や博物館の絵画等の展示物１は、通常制作されてから長期間が経過しているものである。展示物１の額縁も絵画等と同時代に制作されたもので、長時間が経過しており、歪みが発生しているものが殆どである。
【０００６】
図１に示すように、展示物１は２箇所のハンガー４で吊り下げられているが、吊り下げた後に殆どの場合、高さ方向の調整が必要になる。
【特許文献１】特願２００５−１２４５９５号公報
【発明の開示】
【発明が解決しようとする課題】
【０００７】
ワイヤーロープを用いて物品を吊り下げる場合において、物品を吊り下げた後、その高さの位置を容易に調整できるハンガーの開発が望まれている。
【課題を解決するための手段】
【０００８】
そこで、本発明は、ワイヤーロープを用いて物品を吊り下げ、その後その高さの位置を容易に調整できるハンガーを提供すべく、ロックケースにワイヤーロープを挿通させ、ワイヤーグリップ機構を有し、フックを備えたハンガーにおいて、フックに物品を吊り下げた後、ワイヤーロープに対するロックケースの高さ方向の位置を調整可能にしたハンガーとした。
【０００９】
また、本発明は、ワイヤーロープを用いて物品を吊り下げ、その後その高さの位置を容易に調整できるハンガーを提供すべく、ロックケースにワイヤーロープを挿通させ、ワイヤーグリップ機構を有し、フックを備えたハンガーにおいて、フックに物品を吊り下げた後、ワイヤーロープに対するロックケースの高さ方向の位置を調整可能とし、調整高さ量を表示するスケールを備えたハンガーとした。
【００１０】
さらに、本発明は、ワイヤーロープを用いて物品を吊り下げ、その後その高さの位置を容易に調整できるハンガーを提供すべく、ロックケース内に収容される、ワイヤーロープを挿通させるワイヤー保持部材と、ワイヤー保持部材の下部に外嵌まりしワイヤー保持部材とでワイヤーグリップ機構を有する筒状体のワイヤーグリップと、ワイヤーグリップに上部を螺着する調整軸部材と、ロックケースの下部に刻設した窓孔内に位置して前記調整軸部材と螺合する調整ダイヤルと、ワイヤー保持部材下端と調整軸部材上端との間に縮設したコイルスプリングとよりなり、調整ダイヤルを回動させることによりワイヤロープに対するロックケースの高さ位置を調整できるようにしたハンガーとした。
【００１１】
さらにその上に、本発明は、ワイヤーロープを用いて物品を吊り下げ、その後その高さの位置を容易に調整できるハンガーを提供すべく、ロックケース内に収容される、ワイヤーロープを挿通させるワイヤー保持部材と、ワイヤー保持部材の下部に外嵌まりしワイヤー保持部材とでワイヤーグリップ機構を有する筒状体のワイヤーグリップと、ワイヤーグリップに上部を螺着する調整軸部材と、ロックケースの下部に刻設した窓孔内に位置して前記調整軸部材と螺合する調整ダイヤルと、ワイヤー保持部材下端と調整軸部材上端との間に縮設したコイルスプリングとよりなり、調整ダイヤルを回動させることによりワイヤロープに対するロックケースの高さ位置を調整し、ロックケースの中央部側壁にスケール孔を刻設し、スケール孔の縁面に目盛りを付し、調整軸部材から突設し調整軸部材の中間部を貫通したストッパーピンを前記スケール孔に挿入させてロックケースの高さ位置の調整量が分かるようにしたハンガーとした。
【発明の効果】
【００１２】
本発明は、上述のように、ロックケースにワイヤーロープを挿通させ、ワイヤーグリップ機構を有し、フックを備えたハンガーにおいて、フックに物品を吊り下げた後、ワイヤーロープに対するロックケースの高さ方向の位置を調整可能にしたハンガーであるので、ワイヤーロープを用いて物品を吊り下げ、その後その高さの位置を容易に調整することができる。
【００１３】
また、本発明は、ロックケースにワイヤーロープを挿通させ、ワイヤーグリップ機構を有し、フックを備えたハンガーにおいて、フックに物品を吊り下げた後、ワイヤーロープに対するロックケースの高さ方向の位置を調整可能とし、調整高さ量を表示するスケールを備えたハンガーであるので、ワイヤーロープを用いて物品を吊り下げ、その後その高さの位置を容易に調整することができる。
【００１４】
さらに、本発明は、ロックケース内に収容される、ワイヤーロープを挿通させるワイヤー保持部材と、ワイヤー保持部材の下部に外嵌まりしワイヤー保持部材とでワイヤーグリップ機構を有する筒状体のワイヤーグリップと、ワイヤーグリップに上部を螺着する調整軸部材と、ロックケースの下部に刻設した窓孔内に位置して前記調整軸部材と螺合する調整ダイヤルと、ワイヤー保持部材下端と調整軸部材上端との間に縮設したコイルスプリングとよりなり、調整ダイヤルを回動させることによりワイヤロープに対するロックケースの高さ位置を調整できるようにしたハンガーであるので、ワイヤーロープを用いて物品を吊り下げ、その後その高さの位置を容易に調整することができる。
【００１５】
さらにその上に、本発明は、ロックケース内に収容される、ワイヤーロープを挿通させるワイヤー保持部材と、ワイヤー保持部材の下部に外嵌まりしワイヤー保持部材とでワイヤーグリップ機構を有する筒状体のワイヤーグリップと、ワイヤーグリップに上部を螺着する調整軸部材と、ロックケースの下部に刻設した窓孔内に位置して前記調整軸部材と螺合する調整ダイヤルと、ワイヤー保持部材下端と調整軸部材上端との間に縮設したコイルスプリングとよりなり、調整ダイヤルを回動させることによりワイヤロープに対するロックケースの高さ位置を調整し、ロックケースの中央部側壁にスケール孔を刻設し、スケール孔の縁面に目盛りを付し、調整軸部材上部から突設し調整軸部材の中間部を貫通したストッパーピンを前記スケール孔に挿入させてロックケースの高さ位置の調整量が分かるようにしたハンガーであるので、ワイヤーロープを用いて物品を吊り下げ、その後その高さの位置を容易に調整することができる。
【発明を実施するための最良の形態】
【００１６】
添付する図面に示す本発明の具体的実施例に基づいて、以下詳細に説明する。
【００１７】
図３に本発明の要部の断面図、図４に図３のIV−IV断面図、図５に分解斜視図を示す。      
【００１８】
本発明は、ロックケース内１１に収容される、ワイヤーロープ１２を挿通させるワイヤー保持部材１３と、ワイヤー保持部材１３の下部に外嵌まりしワイヤー保持部材１３とでワイヤーグリップ機構を有する筒状体のワイヤーグリップ１４と、ワイヤーグリップ１４に上部を螺着する調整軸部材１５と、ロックケース１１の下部に刻設した窓孔１６内に位置して前記調整軸部材１５と螺合する調整ダイヤル１７と、ワイヤー保持部材１３下端と調整軸部材１５上端との間に縮設したコイルスプリング１８とよりなり、調整ダイヤル１７を回動させることによりワイヤーロープ１２に対するロックケース１１の高さ位置を調整し、ロックケース１１の中央部側壁にスケール孔１９を刻設し、スケール孔１９の縁面に目盛り３０を付し、調整軸部材１５上部から突設し調整軸部材１５の中間部を貫通したストッパーピン２０を前記スケール孔１９に挿入させてロックケース１１の高さ位置の調整量が分かるようにしたハンガーであるので、ワイヤーロープ１２を用いて物品を吊り下げ、その後その高さの位置を容易に調整することができる。
【００１９】
ロックケース１１は立方体で、ワイヤー保持部材１３、ワイヤーグリップ１４、調整軸部材１５、調整ダイヤル１７、ストッパーピン２０が収容されている。
【００２０】
ワイヤーロープ１２は上端はレール３に展示物用フック等を介して取付けられ、ワイヤー保持部材１３、調整軸部材１５を挿通させてロックケース１１下端より延出させる。展示物１を吊り下げた後、展示物１には歪みがあって高さの調整が必要な場合、このワイヤーロープ１２に対して展示物１の高さ位置の調整を可能とするものである。
【００２１】
ワイヤー保持部材１３は上部軸部にネジ山２１が刻設してあって、下部は末広がり状のテーパー面２２に形成し、中心軸の軸線方向にワイヤーロープ１２の挿通孔２３が穿設してある。
【００２２】
ワイヤーグリップ１４は、筒状体で、前記ワイヤー保持部材１３の下部に外嵌まり可能なるようにテーパー面２４に形成してある。
【００２３】
ワイヤー保持部材１３とワイヤーグリップ１４との間にはワイヤーグリップ機構が設けてある。
【００２４】
ボール２６の装着部は図３の断面IV−IVの表示部で、図４にその断面が示されている。      
【００２５】
テーパー面２２を三等配した位置に凹部２７を刻設する。この凹部２７にボール２６を載置して挿通孔２３内に位置するワイヤーロープ１２に当接させると共にテーパー面２２からボール２６の一部を突出させる。
【００２６】
ワイヤーグリップ１４はワイヤー保持部材１３下部に外嵌めし、そのテーパー面２４で前記ボール２６を押圧させる。ワイヤーロープ１２を上方へ引き抜こうとする時は、コイルスプリング１８によりワイヤー保持部材１３が上方に向けて付勢され、ボール２６はテーパー面２４により内方に移動し、ワイヤーロープ１２に食い込み移動を阻止する。一方、ワイヤーロープ１２を下方へ向けて押し込むと、ワイヤー保持部材１３・ボール２６はコイルスプリング１８の付勢力に抗して容易に下方へ移動し、ワイヤーロープ１２を容易に下方へ向けて押し込める。下方への押し込めを中止するとコイルスプリング１８の付勢力によりワイヤー保持部材１３・ボール２６は上方移動し、ワイヤー保持部材１３とワイヤーグリップ１４はボール２６により一体化される。
【００２７】
調整軸部材１５は下部は円柱棒状体で、上部は開口筒状体でその上部内周面にはネジ山が刻設してあって、前記ワイヤーグリップ１４の外周と螺合させる。ロックケース１１下部の窓孔１６には円板状で外周には回転用のローレットを刻設した調整ダイヤル１７を位置させ、前記調整軸部材１５と螺合させる。
【００２８】
ロックケース１１の中央部側壁に長孔状のスケール孔１９を刻設し、調整軸部材１５から突設し調整軸部材１５の中間部を貫通したストッパーピン２０を突出させ、このストッパーピン２０をスケール孔１９に挿入させる。
【００２９】
調整ダイヤル１７を右回りに回転させると、調整軸部材１５は右ネジであるので下方へ移動し、調整ダイヤル１７を左回りに回転させると、調整軸部材１５は上方へ移動し、レール３から吊り下げられたワイヤーロープ１２に対してロックケース１１の高さ位置を調整し、ロックケース１１に螺着固定されたフック２９に吊り下げられた展示物１の高さを調整する。
【００３０】
ワイヤーロープ１２をロックケース１１から下方へ引き抜き、その状態を固定するにはワイヤー保持部材１３の上部に固定キャップ３１を螺締する。固定キャップ３１で螺締する際は、展示物１のレール３からおおよそワイヤーロープ１２の長さ（約１ｍｍの長さの範囲内ぐらい）を決定して行う。
【００３１】
調整ダイヤル１７を右回りに回転させると軸調整部材１５は、ストッパーピン２０がスケール孔１９に案内され、下方に向けて移動し、ロックケース１１・フック２９は上方へ移動し、展示物１は上方へ移動する。調整ダイヤル１７を左回りに回転させると、軸調整部材１５は上方に向けて移動し、ロックケース１１・フック２９は下方へ移動し、展示物１は下方へ移動する。
【００３２】
スケール孔１９の縁面には、ストッパーピン２０の位置で調整量が分かるように目盛り３０を付しておく。絵画等の展示物１の調整量は１５ｍｍ程度が好ましい。固定キャップ３１でワイヤーロープ１２の長さを決定しておき、微調整を調整ダイヤル１７で行う。
【００３３】
ゲートピン３２は針金製で概略Ｖ字状に形成され、ロックケース１１の下部に回動自在に取付けられ、フック２９で展示物１のワイヤー等が外れるのを防止する機能を有する。      
【００３４】
図６に、ストッパーピン２０がスケール孔１９の最上端に位置する状態（展示物１の調整最下位置）、ストッパーピン２０がスケール孔１９の最下端に位置する状態（展示物１の調整最上位置）を左右に示す。上が外観斜視図、下が断面斜視図である。
【００３５】
図７に、ワイヤーロープ１２をロックケース１１内に挿通させ、ストッパーピン２０がスケール孔１９の最上端に位置する状態（展示物１の調整最下位置）、ストッパーピン２０がスケール孔１９の途中に位置する状態、ストッパーピン２０がスケール孔１９の最下端に位置する状態（展示物１の調整最上位置）を左中右に外観斜視図で示す。
【００３６】
図８に、ワイヤーロープ１２に固定キャップ３１で固定した位置を同一高さにして、ストッパーピン２０がスケール孔１９の上端に位置する状態（展示物１の調整最下位置）、ストッパーピン２０がスケール孔１９の下端に位置する状態（展示物１の調整最上位置）を左右に正面図で示す。
【実施例１】
【００３７】
ロックスケールの大きさは２１．５ｍｍ×５５ｍｍ×１５ｍｍで、ワイヤーロープ直径１．５ｍｍ、調整最小高さ８７ｍｍ、調整最大高さ１０２ｍｍ、調整量１５ｍｍである。
【産業上の利用可能性】
【００３８】
本発明は、主に美術館や博物館の展示物の、展示位置の高さを調整するハンガーに用いているが、産業用のワイヤーロープで吊り下げる高さ調整用の支持具に応用することができる。
【図面の簡単な説明】
【００３９】
【図１】美術館や博物館での絵画等の展示の概要を示し、その正面図である。
【図２】図１の左側面図である。
【図３】本発明の要部の断面図である。
【図４】図３のIV−IV断面図である。
【図５】図３の分解斜視図である。
【図６】ストッパーピンがスケール孔の最上端に位置する状態（展示物１の調整最下位置）、ストッパーピンがスケール孔の最下端に位置する状態（展示物１の調整最上位置）を左右に示す。上が外観斜視図、下が断面斜視図である。
【図７】ワイヤーロープをロックケース内に挿通させ、ストッパーピンがスケール孔の最上端に位置する状態（展示物１の調整最下位置）、ストッパーピンがスケール孔の途中に位置する状態、ストッパーピンがスケール孔の最下端に位置する状態（展示物１の調整最上位置）を左中右に外観斜視図で示す。
【図８】ワイヤーロープに固定キャップで固定した位置を同一高さにして、ストッパーピンがスケール孔の上端に位置する状態（展示物１の調整最下位置）、ストッパーピンがスケール孔の下端に位置する状態（展示物１の調整最上位置）を左右に正面図で示す。
【符号の説明】
【００４０】
１…展示物
１１…ロックケース
１２…ワイヤーロープ
１３…ワイヤー保持部材
１４…ワイヤーグリップ
１５…調整軸部材
１６…窓孔
１７…調整ダイヤル
１８…コイルスプリング
１９…スケール孔
２０…ストッパーピン
２９…フック
３０…目盛り
【図１】
2008036000.tif 000003
【図２】
2008036000.tif 000004
【図３】
2008036000.tif 000005
【図４】
2008036000.tif 000006
【図５】
2008036000.tif 000007
【図６】
2008036000.tif 000008
【図７】
2008036000.tif 000009
【図８】
2008036000.tif 000010